(57)【要約】【課題】既存の蛍光灯照明器具のうち、廃棄処理する部品を最小限に抑え、ＬＥＤ照明器具を簡単にかつ強固に取り付けることができるＬＥＤ照明器具の設置方法及びＬＥＤ照明器具を提供する。【解決手段】複数のＬＥＤが配設されていると共に複数のＬＥＤ照明器具側取り付け孔が形成されているＬＥＤ照明器具を用意し、既設の蛍光灯照明器具から、蛍光ランプ及び蛍光ランプ用のソケットのみを取り外し、この蛍光灯照明器具に複数の蛍光灯照明器具側取り付け孔を必要に応じて形成し、複数のＬＥＤ照明器具側取り付け孔に挿入するのみで固定可能な複数の取り付け具の一方の端部をそれぞれ嵌入させると共に複数の蛍光灯照明器具側取り付け孔に複数の取り付け具の他方の端部をそれぞれ嵌入させることにより、ＬＥＤ照明器具を蛍光灯照明器具に取り付ける。【選択図】図１
2013016319.tif 000002
【特許請求の範囲】
【請求項１】
複数のＬＥＤが配設されていると共に複数のＬＥＤ照明器具側取り付け孔が形成されているＬＥＤ照明器具を用意し、既設の蛍光灯照明器具から、蛍光ランプ及び該蛍光ランプ用のソケットのみを取り外し、該蛍光灯照明器具に複数の蛍光灯照明器具側取り付け孔を必要に応じて形成し、前記複数のＬＥＤ照明器具側取り付け孔に挿入するのみで固定可能な複数の取り付け具の一方の端部をそれぞれ嵌入させると共に前記複数の蛍光灯照明器具側取り付け孔に該複数の取り付け具の他方の端部をそれぞれ嵌入させることにより、前記ＬＥＤ照明器具を前記蛍光灯照明器具に取り付けることを特徴とするＬＥＤ照明器具の設置方法。
【請求項２】
ＬＥＤ駆動電源部をさらに設置し、前記ＬＥＤ照明器具と該ＬＥＤ駆動電源部とを電気的に結線することを特徴とする請求項１に記載のＬＥＤ照明器具の設置方法。
【請求項３】
前記複数の蛍光灯照明器具側取り付け孔として、前記蛍光灯照明器具の外枠部に設けられた複数の取り付け孔を用いることを特徴とする請求項１又は２に記載のＬＥＤ照明器具の設置方法。
【請求項４】
前記複数の蛍光灯照明器具側取り付け孔として、前記蛍光灯照明器具の反射板に設けられた複数の取り付け孔を用いることを特徴とする請求項１又は２に記載のＬＥＤ照明器具の設置方法。
【請求項５】
前記取り付け具として、一方の端部が先端に向かって細くなる円錐形状を有しており、該一方の端部の円錐底面直径が前記ＬＥＤ器具側取り付け孔の径より大きく設定されており、他方の端部が先端に向かって細くなる円錐形状を有しており、該他方の端部の円錐底面直径が前記蛍光灯器具側取り付け孔の径より大きく設定されている取り付け具を用いることを特徴とする請求項１から４のいずれか１項に記載のＬＥＤ照明器具の設置方法。
【請求項６】
前記取り付け具として、合成樹脂製であり、両端部に該取り付け具の軸線方向に沿って所定深さを有しかつ互いに直交する２つの切り込み部が設けられている取り付け具を用いることを特徴とする請求項１から５のいずれか１項に記載のＬＥＤ照明器具の設置方法。
【請求項７】
複数のＬＥＤと、蛍光灯照明器具に取り付けるためにあらかじめ形成された複数のＬＥＤ照明器具側取り付け孔と、複数の取り付け具とを備えており、該複数の取り付け具の各々は、一方の端部が前記ＬＥＤ照明器具側取り付け孔に嵌入されて固定可能に構成されており、その他方の端部が前記蛍光灯照明器具に設けられた蛍光灯照明器具側取り付け孔に嵌入されて固定可能に構成されていることを特徴とするＬＥＤ照明器具。
【請求項８】
複数のＬＥＤと、蛍光灯照明器具に取り付けるためにあらかじめ形成された複数のＬＥＤ照明器具側取り付け孔と、複数のＬＥＤ照明器具が取り付けられる取り付け板と、複数の取り付け具とを備えており、該複数の取り付け具の各々は、一方の端部が前記取り付け板を介して前記ＬＥＤ照明器具側取り付け孔に嵌入されて固定可能に構成されており、その他方の端部が前記蛍光灯照明器具に設けられた蛍光灯照明器具側取り付け孔に嵌入されて固定可能に構成されていることを特徴とするＬＥＤ照明器具。
【請求項９】
前記取り付け具の前記一方の端部は先端に向かって細くなる円錐形状を有しており、該一方の端部の円錐底面直径が前記ＬＥＤ器具側取り付け孔の径より大きく設定されており、前記取り付け具の前記他方の端部は先端に向かって細くなる円錐形状を有しており、該他方の端部の円錐底面直径が前記蛍光灯器具側取り付け孔の径より大きく設定されていることを特徴とする請求項７又は８に記載のＬＥＤ照明器具。
【請求項１０】
前記取り付け具は、合成樹脂製であり、両端部に該取り付け具の軸線方向に沿って所定深さを有しかつ互いに直交する２つの切り込み部が設けられていることを特徴とする請求項７から９のいずれか１項に記載のＬＥＤ照明器具。
【発明の詳細な説明】
【技術分野】
【０００１】
本発明は、ＬＥＤ（発光ダイオード）を光源として用いられるＬＥＤ照明器具を既設の蛍光灯照明器具に取り付ける場合のＬＥＤ照明器具の設置方法及びＬＥＤ照明器具に関する。
【背景技術】
【０００２】
従来より、照明用光源としては主に白熱灯や蛍光ランプが用いられていたが、これら白熱灯や蛍光ランプは寿命が比較的短く、定期的に交換する必要があった。
【０００３】
図１６は従来の蛍光灯照明器具の設置構造を示している。図１６に示すように、従来の埋込式の蛍光灯照明器具の設置構造１は、蛍光ランプ２、ランプソケット３、本体１１、反射板１２、安定器１３、及び配線ケーブル等を備えている。
【０００４】
近年、消費電力が少なく、かつ耐久性に優れるＬＥＤを多数取付けたＬＥＤ照明器具が利用されている。特に、蛍光ランプを用いる既設の蛍光灯照明器具に取り付けて使用できる蛍光灯形ＬＥＤ照明器具が開発されている。このような蛍光灯形ＬＥＤ照明器具は、商用の交流電流（電圧）を直流電流（電圧）に変換する定電流駆動電源部を使用するため、従来の蛍光灯用安定器は不要となる。
【０００５】
従来の蛍光灯照明をＬＥＤ照明に交換する場合、以下の３つの方式がある。
（１）既設の蛍光灯照明器具をそのまま利用する方式である。この場合は、蛍光ランプと同等寸法のＬＥＤランプが必要である。
（２）既設の蛍光灯照明器具のすべてをＬＥＤ照明器具に変更する方式である。この方式は、新設する際には合理的であるが、蛍光灯照明器具が既設されている状態からＬＥＤ照明器具に置換する際には、既設の蛍光灯照明器具のすべてを取り外し、ＬＥＤ照明器具に換えることが必要となるので、未だ使用できる既設の蛍光灯照明器具を産業廃棄物として処分しなければならない。
（３）既設の蛍光灯照明器具の一部のみを利用する方式である。この場合は、例えば、既設の蛍光灯照明器具の本体のみを活用し、反射板、ランプソケット、端子台、安定器、及び配線ケーブルを処分し、そして、本体との接続パーツを追加してＬＥＤ照明器具を設置する。
【０００６】
上記（１）の場合は、蛍光ランプ用のランプソケットを利用するため、ＬＥＤランプには従来の蛍光ランプと同じ形状の端子を設けることが必要となる。しかし、ＬＥＤ照明には、ＬＥＤランプ内を取り付ける基板、冷却用フィン及び駆動電源等部品が存在しているため、ＬＥＤランプ自体の重量が蛍光ランプより大幅に重くなってしまう。その結果、既存のランプソケット及び端子のみではＬＥＤランプを支えられず、安全性に問題が生じる。
【０００７】
また、上記（２）の場合は、既設の蛍光灯照明器具を天井等から取り外し、これらを廃棄物として処分しなければならない。電力削減、省エネルギーするために、器具全てが廃棄物となることは望ましくない。
【０００８】
上記（３）の場合は、既設の蛍光灯照明器具を天井等から取り外し、これらの多くの部分を廃棄物として処分しなければならない。電力削減、省エネルギーするために、器具の多くの部分が廃棄物となることは望ましくない。
【０００９】
そのため、蛍光灯照明器具の多くの部分を利用し、また、ＬＥＤランプが変形しても落下しないようにＬＥＤランプを強固に把持できるＬＥＤ照明器具が提案されている（例えば、特許文献１）。
【００１０】
特許文献１に開示されたＬＥＤ照明器具は、ＬＥＤが配列された照明灯本体と、照明灯本体のＬＥＤ光照射側に被せた半透光性のカバーとを備え、照明灯本体は放熱部を備え、照明灯本体の軸方向端部にソケットへの装着用ピンを設けない取付け端部を備えたものである。また、このＬＥＤ照明器具のＬＥＤ灯取付け具は、既設の蛍光灯照明器具に装着可能な装着部と、ＬＥＤランプの一部に係合可能な係合部とを備えている。
【先行技術文献】
【特許文献】
【００１１】
【特許文献１】特開２０１１−２９１４１号公報
【発明の概要】
【発明が解決しようとする課題】
【００１２】
しかしながら、特許文献１のＬＥＤ照明器具においては、ＬＥＤ灯取付け具の係合部にＬＥＤランプの端部が挿入され係合する構成となっている。また、ＬＥＤ灯取付け具には、天井部に装着するための装着部が設けられており、この装着部に設けられたボルト孔にボルトを貫入させて天井に装着固定する構成であるため、取り付けが非常に困難であるという問題点があった。
【００１３】
また、特許文献１のＬＥＤ灯取付け具は、係合部と装着部とが必要のため、構成が複雑で、コストが高いという欠点があった。
【００１４】
従って、本発明は従来技術の上述した問題点を解消するものであり、本発明の目的は、既存の蛍光灯照明器具のうち、廃棄処理する部品を最小限に抑え、ＬＥＤ照明器具を簡単にかつ強固に取り付けることができるＬＥＤ照明器具の設置方法及びＬＥＤ照明器具を提供することにある。
【課題を解決するための手段】
【００１５】
本発明によれば、複数のＬＥＤが配設されていると共に複数のＬＥＤ照明器具側取り付け孔が形成されているＬＥＤ照明器具を用意し、既設の蛍光灯照明器具から、蛍光ランプ及び蛍光ランプ用のソケットのみを取り外し、この蛍光灯照明器具に複数の蛍光灯照明器具側取り付け孔を必要に応じて形成し、複数のＬＥＤ照明器具側取り付け孔に挿入するのみで固定可能な複数の取り付け具の一方の端部をそれぞれ嵌入させると共に複数の蛍光灯照明器具側取り付け孔に複数の取り付け具の他方の端部をそれぞれ嵌入させることにより、ＬＥＤ照明器具を蛍光灯照明器具に取り付けるＬＥＤ照明器具の設置方法が提供される。
【００１６】
既設の蛍光灯照明器具から、蛍光ランプ及び蛍光ランプ用のソケットのみを取り外すことにより、本体及び反射板をそのまま利用することができる。取り付け具の一方の端部をＬＥＤ照明器具側取り付け孔に嵌入し、他方の端部を蛍光灯照明器具側取り付け孔に嵌入させるのみで固定可能であり、ＬＥＤ照明器具を蛍光灯照明器具に取り付けることができる。このため、廃棄処理する部品を最小限に抑制することができ、設置工事も容易となる。また、既設の蛍光灯照明器具を全てＬＥＤ照明器具へ交換する場合と比較して、導入費用を抑え、短い工期で電力削減が実現可能となる。
【００１７】
ＬＥＤ駆動電源部をさらに設置し、ＬＥＤ照明器具とＬＥＤ駆動電源部とを電気的に結線することが好ましい。
【００１８】
複数の蛍光灯照明器具側取り付け孔として、蛍光灯照明器具の外枠部に設けられた複数の取り付け孔を用いるか、又は蛍光灯照明器具の反射板に設けられた複数の取り付け孔を用いることも好ましい。外枠部や反射板は簡単に取り外すことができるため、蛍光灯照明器具側取り付け孔の加工が容易にでき、かつＬＥＤ照明器具の設置位置を自由に選択することができる。
【００１９】
取り付け具として、一方の端部が先端に向かって細くなる円錐形状を有しており、一方の端部の円錐底面直径がＬＥＤ器具側取り付け孔の径より大きく設定されており、他方の端部が先端に向かって細くなる円錐形状を有しており、他方の端部の円錐底面直径が蛍光灯器具側取り付け孔の径より大きく設定されている取り付け具を用いることも好ましい。このような径の円錐形状とすることにより、ＬＥＤ器具側取り付け孔及び蛍光灯器具側取り付け孔に簡単に挿入し、かつ固定することができる。
【００２０】
取り付け具として、合成樹脂製であり、両端部に該取り付け具の軸線方向に沿って所定深さを有しかつ互いに直交する２つの切り込み部が設けられている取り付け具を用いることも好ましい。このように、合成樹脂を用いることにより、成型によって簡単に製造することができ、低コスト化を図ることができる。しかも、ＬＥＤ器具側取り付け孔及び蛍光灯器具側取り付け孔にスムーズに挿入することができ、かつ確実に係合させることができる。
【００２１】
本発明によれば、さらに、複数のＬＥＤと、蛍光灯照明器具に取り付けるためにあらかじめ形成された複数のＬＥＤ照明器具側取り付け孔と、複数の取り付け具とを備えており、複数の取り付け具の各々は、一方の端部がＬＥＤ照明器具側取り付け孔に嵌入されて固定可能に構成されており、その他方の端部が蛍光灯照明器具に設けられた蛍光灯照明器具側取り付け孔に嵌入されて固定可能に構成されているＬＥＤ照明器具が提供される。
【００２２】
取り付け具の一方の端部をＬＥＤ照明器具側取り付け孔に嵌入し、他方の端部を蛍光灯照明器具側取り付け孔に嵌入させるのみで固定可能であり、ＬＥＤ照明器具を蛍光灯照明器具に取り付けることができる。このため、設置工事が容易となり、既設の蛍光灯照明器具を全てＬＥＤ照明器具へ交換する場合と比較して、導入費用を抑え、短い工期で電力削減が実現可能となる。
【００２３】
本発明によれば、さらに、複数のＬＥＤと、蛍光灯照明器具に取り付けるためにあらかじめ形成された複数のＬＥＤ照明器具側取り付け孔と、複数のＬＥＤ照明器具が取り付けられる取り付け板と、複数の取り付け具とを備えており、該複数の取り付け具の各々は、一方の端部が取り付け板を介してＬＥＤ照明器具側取り付け孔に嵌入されて固定可能に構成されており、その他方の端部が蛍光灯照明器具に設けられた蛍光灯照明器具側取り付け孔に嵌入されて固定可能に構成されているＬＥＤ照明器具が提供される。
【００２４】
複数のＬＥＤ照明器具が取り付けられる取り付け板を備えることで、複数のＬＥＤ照明器具を設置する場合、予め複数のＬＥＤ照明器具を取り付け板に取り付けることにより、蛍光灯照明器具への取付作業が容易になる。
【００２５】
取り付け具の一方の端部は先端に向かって細くなる円錐形状を有しており、一方の端部の円錐底面直径がＬＥＤ器具側取り付け孔の径より大きく設定されており、取り付け具の他方の端部は先端に向かって細くなる円錐形状を有しており、他方の端部の円錐底面直径が蛍光灯器具側取り付け孔の径より大きく設定されていることが好ましい。このような径の円錐形状とすることにより、ＬＥＤ器具側取り付け孔及び蛍光灯器具側取り付け孔に簡単に挿入し、かつ固定することができる。
【００２６】
取り付け具は、合成樹脂製であり、両端部に該取り付け具の軸線方向に沿って所定深さを有しかつ互いに直交する２つの切り込み部が設けられていることも好ましい。このように、合成樹脂を用いることにより、成型によって簡単に製造することができ、低コスト化を図ることができる。しかも、ＬＥＤ器具側取り付け孔及び蛍光灯器具側取り付け孔にスムーズに挿入することができ、かつ確実に係合させることができる。
【発明の効果】
【００２７】
本発明によれば、廃棄処理する部品を最小限に抑制することができ、設置工事も容易となる。また、既設の蛍光灯照明器具を全てＬＥＤ照明器具へ交換する場合と比較して、導入費用を抑え、短い工期で電力削減が実現可能となる。
【図面の簡単な説明】
【００２８】
【図１】本発明の第１の実施形態におけるＬＥＤ照明器具の設置構造を概略的に示す分解斜視図である。
【図２】図１に示したＬＥＤ照明器具の設置構造を示す断面図である。
【図３】取り付け具の構成を概略的に示す図である。
【図４】第１の実施形態におけるＬＥＤ照明器具を設置する工程を概略的に示すフローチャートである。
【図５】本発明の第２の実施形態におけるＬＥＤ照明器具の設置構造を概略的に示す断面図である。
【図６】本発明の第３の実施形態におけるＬＥＤ照明器具の設置構造を概略的に示す断面図である。
【図７】本発明の第４の実施形態におけるＬＥＤ照明器具の設置構造を概略的に示す断面図である。
【図８】本発明の第５の実施形態におけるＬＥＤ照明器具の設置構造を概略的に示す断面図である。
【図９】本発明の第６の実施形態におけるＬＥＤ照明器具の設置構造を概略的に示す断面図である。
【図１０】本発明の第７の実施形態におけるＬＥＤ照明器具の設置構造を概略的に示す断面図である。
【図１１】本発明の第８の実施形態におけるＬＥＤ照明器具の設置構造を概略的に示す断面図である。
【図１２】本発明の第９の実施形態におけるＬＥＤ照明器具の設置構造を概略的に示す断面図である。
【図１３】本発明の第１０の実施形態におけるＬＥＤ照明器具の設置構造を概略的に示す断面図である。
【図１４】本発明の第１１の実施形態におけるＬＥＤ照明器具の設置構造を概略的に示す断面図である。
【図１５】本発明の他の実施形態におけるＬＥＤ照明器具の設置構造を概略的に示す分解斜視図である。
【図１６】従来の蛍光灯照明器具の設置構造を概略的に示す部分断面図である。
【発明を実施するための形態】
【００２９】
以下、本発明に係るＬＥＤ照明器具の設置方法の実施形態を、図を参照して説明する。
【００３０】
図１は本発明の第１の実施形態におけるＬＥＤ照明器具の設置構造を示しており、図２は図１のＡ−Ａ線断面を示しており、図３は第１の実施形態における取り付け具の構造を示している。図３（ａ）は取り付け具の側面図であり、図３（ｂ）は取り付け具の頂面図である。
【００３１】
図１〜図３に示すように、ＬＥＤ照明器具の設置構造１００は、既設の埋込式の蛍光灯照明器具１０と、この蛍光灯照明器具１０に取り付けられる２つのＬＥＤ照明器具２０と、複数の取り付け具３０とを備えている。
【００３２】
蛍光灯照明器具１０は、既設の２本の直管型蛍光ランプと４つのランプソケット及びその配線ケーブルを取外すことにより、残された本体１１、反射板１２、及び安定器１３を有している。この例において、本体１１には、取り付け具３０の第１の係合部３１に係合する複数（本実施例では８つ）の取り付け孔１１ａが形成されている。本実施形態においては、図１に示すように、取り付け孔１１ａは本体１１の外枠部に形成されている。また、本体１１における、安定器１３が設置されている位置の隣にＬＥＤランプを駆動する駆動電源部２１が設置される。なお、本体１１には、強度補強するために本体フレーム１４が設けられている。反射板１２は、直管型蛍光ランプの２灯式用のものであり、中央部に下方に向けた突出部を備えている。
【００３３】
ＬＥＤ照明器具２０は、取り付けられる蛍光灯照明器具１０における直管蛍光ランプの長さに近い長さを有しており、複数のＬＥＤがその軸方向及び幅方向に沿って配設された蛍光灯形のＬＥＤ照明器具である。このＬＥＤ照明器具２０は、例えば、基板２２と、この基板２２上に実装された光源としての多数のＬＥＤ素子２３と、これら基板２２及びＬＥＤ素子２３を覆うカバー２４と、基板２２に設けられた放熱部材（図示なし）と、入力端子電極（図示なし）とを備えている。ＬＥＤ照明器具２０の上面には、取り付け具３０の第２の係合部３２に係合する複数（本実施形態では８つ）の取り付け孔２０ａが形成されている。これら複数の取り付け孔２０ａは、あらかじめ形成しておいても良いし、器具取り付け時に形成しても良い。
【００３４】
各ＬＥＤ素子２３としては、チップ型発光ダイオード又は砲弾型発光ダイオードが用いられる。この実施形態においては、チップ型発光ダイオードを用いている。
【００３５】
カバー２４は、透明又は半透明樹脂を成型することにより形成されている。なお、カバー２４にレンズ機能を持たせるようにしてもよい。また、カバー２４をガラスで形成してもよい。
【００３６】
放熱部材は、熱伝導性の高い材料、例えば、アルミニウム等の金属から構成されている。この放熱部材は、基板２２の裏面に熱的に接触して固着されている。ＬＥＤ素子２３から発生した熱は、この放熱部材を介して伝導され外部へ発散される。
【００３７】
入力端子電極は、図示されていないが、配線ケーブルを介して駆動電源部２１の出力端子電極と電気的に接続され、駆動電源部２１からの電力をＬＥＤ素子２３に供給するためのものである。
【００３８】
駆動電源部２１は、商用の交流電流（電圧）を降圧すると共に直流電流（電圧）に変換する降圧回路、整流回路及び平滑用コンデンサを備えている。
【００３９】
図３に示すように、取り付け具３０は、円柱状の中央部３０ａに対してその他端部に周溝３５を介して第１の係合部３１が設けられており、その一端部に周溝３６を介して第２の係合部３２が設けられている。第１の係合部３１は先端に向かって細くなる円錐形状を有しており、蛍光灯照明器具１０の本体１１の外枠部に形成された取り付け孔１１ａに嵌入して固定されるように構成されている。一方、第２の係合部３２も先端に向かって細くなる円錐形状を有しており、ＬＥＤ照明器具２０に形成された取り付け孔２０ａに嵌入して固定されるように構成されている。
【００４０】
取り付け具３０の第１の係合部３１における円錐底面直径は蛍光灯器具側の取り付け孔１１ａの径より大きく設定されており、第２の係合部３２における円錐底面直径はＬＥＤ器具側の取り付け孔２０ａの径より大きく設定されている。第１の係合部３１及び第２の係合部３２をこのような径の円錐形状とすることにより、取り付け孔１１ａ及び２０ａに簡単に挿入し、かつ一定限度以上の挿入を防止することができる。また、取り付け具３０として、合成樹脂製であり、両端部には、その軸線方向に沿って所定深さを有しかつ互いに直交する２つの切り込み部３３及び３４が設けられている。このように、合成樹脂を用いることにより、成型によって取り付け具３０を簡単に製造することができ、低コスト化を図ることができる。しかも、取り付け孔１１ａ及び２０ａにスムーズに挿入することができる。挿入後は、取り付け孔１１ａ及び２０ａが周溝３５及び３６に嵌合することにより、取り付け具と取り付け孔とが確実に係合するので、正確な位置決めをすることができる。
【００４１】
なお、本実施形態において、第１の係合部３１と第２の係合部３２とは、ほぼ等しい寸法に形成されているが、本発明の取り付け具は、これに限定されるものではない。即ち、変更態様においては、第１の係合部３１と第２の係合部３２とが互いに異なる寸法及び形状に形成されるかもしれない。
【００４２】
図４は本実施形態におけるＬＥＤ照明器具を設置する工程を概略的に示すフローチャートである。以下、同図を用いて、ＬＥＤ照明器具２０の設置方法を説明する。
【００４３】
まず、取り付けを行う２つの適切な寸法のＬＥＤ照明器具２０と、８つの取り付け具３０と、駆動電源部２１と、配線ケーブルとを用意する（ステップＳ１）。ただし、ＬＥＤ照明器具２０には適切な位置に８つの貫通した取り付け孔２０ａがあらかじめ形成されているものとする。これら取り付け孔２０ａは、場合によっては、この取り付け時に形成しても良い。
【００４４】
次いで、既設の蛍光灯照明器具１０から蛍光ランプを取り外して廃棄する（ステップＳ２）。
【００４５】
次いで、反射板１２を取り外し、ランプソケットを取り外して廃棄する。その際に必要であれば、ランプソケット及び安定器１３間に接続されている配線ケーブルを取り外して廃棄する（ステップＳ３）。
【００４６】
次いで、反射板１２の裏側に隠れる本体１１に駆動電源部２１を取り付け、さらに、この駆動電源部２１の出力端子電極に配線ケーブルの一端を接続する（ステップＳ４）。
【００４７】
次いで、取り付け孔１１ａが空いていない場合は、蛍光灯照明器具１０の本体１１の外枠部に８つの取り付け孔１１ａを形成する（ステップＳ５）。
【００４８】
次いで、駆動電源部２１からの配線ケーブルの他端を各ＬＥＤ照明器具２０の入力端子電極に接続し、反射板１２を元通りに取り付ける（ステップＳ６）。
【００４９】
その後、各ＬＥＤ照明器具２０の４つの取り付け孔２０ａに４つの取り付け具３０の一方の端部をそれぞれ嵌入させると共に４つの取り付け具３０の他方の端部を蛍光灯照明器具１０の４つの取り付け孔１１ａにそれぞれ嵌入させることにより、このＬＥＤ照明器具２０を蛍光灯照明器具１０に取り付ける（ステップＳ７）。
【００５０】
以上説明したように、本実施形態によれば、従来の蛍光灯照明をＬＥＤ照明に変更する際に、蛍光ランプとランプソケットとのみを廃棄することで、廃棄処理する部品を最小限に抑制することができ、簡単な構成でＬＥＤ照明器具を強固に取り付けることができる。
【００５１】
また、設置工事も容易であるため、既設の蛍光灯照明器具を全てＬＥＤ照明器具へ交換する場合と比較して、導入費用を抑え、短い工期で電力削減が実現可能となる。さらに、低コスト化を実現できると共に、ＬＥＤ照明器具の取付け作業が極めて容易に行える。
【００５２】
図５は本発明の第２の実施形態におけるＬＥＤ照明器具の設置構造を示している。
【００５３】
図５に示すように、ＬＥＤ照明器具の設置構造１０１は、既設の埋込式の蛍光灯照明器具１０と、この蛍光灯照明器具１０に取り付けられる２つのＬＥＤ照明器具２０と、複数の取り付け具３０とを備えている。ＬＥＤ照明器具の設置構造１０１の各部の構成は、取り付け孔１１ａの形成位置及び取り付け具３０の長さ以外に上述した第１の実施形態と同様である。
【００５４】
ＬＥＤ照明器具の設置構造１０１において、取り付け孔１１ａは本体１１の内部に形成されている。２つのＬＥＤ照明器具２０が従来の蛍光灯が設置されていた位置に配置されている。この例では、ＬＥＤ照明器具２０の両端側にそれぞれ１本の取り付け具３０で固定している。
【００５５】
また、この第２の実施形態におけるＬＥＤ照明器具２０の設置方法は、取り付け孔１１ａを本体１１の内部に形成する以外に上述した第１の実施形態の設置方法と同様である。
【００５６】
図６は本発明の第３の実施形態におけるＬＥＤ照明器具の設置構造を示している。
【００５７】
図６に示すように、ＬＥＤ照明器具の設置構造１０２は、既設の埋込式の蛍光灯照明器具１０Ａと、この蛍光灯照明器具１０Ａに取り付けられる２つのＬＥＤ照明器具２０と、複数の取り付け具３０とを備えている。ＬＥＤ照明器具の設置構造１０２の各部の構成は、既設の蛍光灯照明器具１０Ａの形状以外に上述した第１の実施形態と同様である。ここで、詳細な説明を省略する。また、この第３の実施形態におけるＬＥＤ照明器具２０の設置方法は、上述した第１の実施形態の設置方法と同様である。
【００５８】
図７は本発明の第４の実施形態におけるＬＥＤ照明器具の設置構造を示している。
【００５９】
図７に示すように、ＬＥＤ照明器具の設置構造１０３は、既設の埋込式の蛍光灯照明器具１０Ａと、この蛍光灯照明器具１０Ａに取り付けられる２つのＬＥＤ照明器具２０と、複数の取り付け具３０とを備えている。ＬＥＤ照明器具の設置構造１０３の各部の構成は、既設の蛍光灯照明器具１０Ａの形状、取り付け孔１１ａの形成位置及び取り付け具３０の長さ以外に上述した第１の実施形態と同様である。ここで、詳細な説明を省略する。
【００６０】
ＬＥＤ照明器具の設置構造１０３において、取り付け孔１１ａは反射板１２Ａに形成されている。２本のＬＥＤ照明器具２０が、従来の蛍光灯が設置されていた位置に配置され、反射板１２Ａに直接に装着されている。この例では、ＬＥＤ照明器具２０の両端側がそれぞれ２本の取付具３０で取り付けられている。
【００６１】
また、この第４の実施形態におけるＬＥＤ照明器具２０の設置方法は、取り付け孔１１ａを反射板１２Ａに形成する以外に上述した第１の実施形態の設置方法と同様である。
【００６２】
図８は本発明の第５の実施形態におけるＬＥＤ照明器具の設置構造を示している。
【００６３】
図８に示すように、ＬＥＤ照明器具の設置構造１０４は、既設の埋込式の蛍光灯照明器具１０Ｂと、この蛍光灯照明器具１０Ｂに取り付けられる１つのＬＥＤ照明器具２０と、複数の取り付け具３０とを備えている。ＬＥＤ照明器具の設置構造１０４の各部の構成は、既設の蛍光灯照明器具１０Ｂの形状、取り付け孔１１ａの形成位置及び取り付け具３０の長さ以外に上述した第１の実施形態と同様である。ここで、詳細な説明を省略する。
【００６４】
ＬＥＤ照明器具の設置構造１０４において、取り付け孔１１ａは反射板１２Ｂに形成されている。１本のＬＥＤ照明器具２０が、反射板１２Ｂの中央位置に配置され、かつ反射板１２Ｂに直接に装着されている。この例では、ＬＥＤ照明器具２０の両端側がそれぞれ２本の取り付け具３０で取り付けられている。
【００６５】
また、この第５の実施形態におけるＬＥＤ照明器具２０の設置方法は、取り付け孔１１ａを反射板１２Ｂに形成する以外に上述した第１の実施形態の設置方法と同様である。
【００６６】
図９は本発明の第６の実施形態におけるＬＥＤ照明器具の設置構造を示している。
【００６７】
図９に示すように、ＬＥＤ照明器具の設置構造１０５は、既設の埋込式の蛍光灯照明器具１０Ｂと、この蛍光灯照明器具１０Ｂに取り付けられる２つのＬＥＤ照明器具２０と、複数の取り付け具３０とを備えている。ＬＥＤ照明器具の設置構造１０５の各部の構成は、既設の蛍光灯照明器具１０Ｂの形状、及び取り付け孔１１ａの形成位置以外に上述した第１の実施形態と同様である。ここで、詳細な説明を省略する。
【００６８】
また、ＬＥＤ照明器具の設置構造１０５において、取り付け孔１１ａは反射板１２Ｂに形成されている。２本のＬＥＤ照明器具２０が、それぞれ反射板１２Ｂの両側の傾斜面に配置され、かつ反射板１２Ｂに直接に装着されている。この例では、ＬＥＤ照明器具２０の両端側がそれぞれ２本の取り付け具３０で取り付けられている。
【００６９】
また、この第６の実施形態におけるＬＥＤ照明器具２０の設置方法は、取り付け孔１１ａを反射板１２Ｂに形成する以外に上述した第１の実施形態の設置方法と同様である。
【００７０】
図１０は本発明の第７の実施形態におけるＬＥＤ照明器具の設置構造の設置例を示している。
【００７１】
図１０に示すように、ＬＥＤ照明器具の設置構造１０６は、既設の埋込式の蛍光灯照明用器具１０Ｃと、この蛍光灯照明器具１０Ｃに取り付けられる１つのＬＥＤ照明器具２０と、複数の取り付け具３０とを備えている。ＬＥＤ照明器具の設置構造１０６の各部の構成は、既設の蛍光灯照明器具１０Ｂの形状、及び取り付け孔１１ａの形成位置以外に上述した第１の実施形態と同様である。ここで、詳細な説明を省略する。
【００７２】
ＬＥＤ照明器具の設置構造１０６において、取り付け孔１１ａは反射板１２Ｃの中央突起部に形成されている。ＬＥＤ照明器具２０が反射板１２Ｃの中央突起部に直接に装着されている。この例では、ＬＥＤ照明器具２０の両端側がそれぞれ２本の取り付け具３０で取り付けられている。
【００７３】
また、この第７の実施形態におけるＬＥＤ照明器具２０の設置方法は、取り付け孔１１ａを反射板１２Ｂに形成する以外に上述した第１の実施形態の設置方法と同様である。
【００７４】
図１１は本発明の第８の実施形態におけるＬＥＤ照明器具の設置構造を示している。
【００７５】
図１１に示すように、ＬＥＤ照明器具の設置構造１０７は、既設の埋込式の蛍光灯照明器具１０Ｃと、この蛍光灯照明器具１０Ｃに取り付けられる２つのＬＥＤ照明器具２０と、複数の取り付け具３０とを備えている。ＬＥＤ照明器具の設置構造１０７の各部の構成は、既設の蛍光灯照明器具１０Ｂの形状、及び取り付け孔１１ａの形成位置以外に上述した第１の実施形態と同様である。ここで、詳細な説明を省略する。
【００７６】
ＬＥＤ照明器具の設置構造１０７において、取り付け孔１１ａは反射板１２Ｃの中央突起部の両側の傾斜面に形成されている。２本のＬＥＤ照明器具２０が、それぞれ反射板１２Ｃの中央突起部の両側の傾斜面に直接に装着されている。この例では、ＬＥＤ照明器具２０の両端側がそれぞれ２本の取り付け具３０で取り付けられている。
【００７７】
また、この第８の実施形態におけるＬＥＤ照明器具２０の設置方法は、取り付け孔１１ａを反射板１２Ｃに形成する以外に上述した第１の実施形態の設置方法と同様である。
【００７８】
図１２は本発明の第９の実施形態におけるＬＥＤ照明器具の設置構造を示している。
【００７９】
図１２に示すように、ＬＥＤ照明器具の設置構造１０８は、既設の逆富士式の蛍光灯照明器具１０Ｄと、この蛍光灯照明器具１０Ｄに取り付けられる２つのＬＥＤ照明器具２０と、複数の取り付け具３０とを備えている。ＬＥＤ照明器具の設置構造１０８の各部の構成は、既設の蛍光灯照明器具１０Ｄの形状、及び取り付け孔１１ａの形成位置以外に上述した第１の実施形態と同様である。ここで、詳細な説明を省略する。
【００８０】
ＬＥＤ照明器具の設置構造１０８において、取り付け孔１１ａは反射板１２Ｄの中央突起部の両側の傾斜面に形成されている。２本のＬＥＤ照明器具２０が、それぞれ反射板１２Ｄの両側の傾斜面に直接に装着されている。この例では、ＬＥＤ照明器具２０の両端側がそれぞれ２本の取り付け具３０で取り付けられている。
【００８１】
また、この第９の実施形態におけるＬＥＤ照明器具２０の設置方法は、取り付け孔１１ａを反射板１２Ｄに形成する以外に上述した第１の実施形態の設置方法と同様である。
【００８２】
図１３は本発明の第１０の実施形態におけるＬＥＤ照明器具の設置構造の設置例を示している。
【００８３】
図１３に示すように、ＬＥＤ照明器具の設置構造１０９は、既設のトラフ式の蛍光灯照明器具１０Ｅと、この蛍光灯照明器具１０Ｅに取り付けられる１つのＬＥＤ照明器具２０と、複数の取り付け具３０とを備えている。ＬＥＤ照明器具の設置構造１０９の各部の構成は、既設の蛍光灯照明器具１０Ｅの形状、及び取り付け孔１１ａの形成位置以外に上述した第１の実施形態と同様である。ここで、詳細な説明を省略する。
【００８４】
ＬＥＤ照明器具の設置構造１０９において、取り付け孔１１ａは本体１１Ｅ及び反射板１２Ｅを貫通して形成されている。ＬＥＤ照明器具２０が、反射板１２Ｅの中央の平面部に装着されている。この例では、ＬＥＤ照明器具２０の両端側がそれぞれ２本の取り付け具３０で取り付けられている。
【００８５】
また、この第１０の実施形態におけるＬＥＤ照明器具２０の設置方法は、取り付け孔１１ａを本体１１Ｅ及び反射板１２Ｅに形成する以外に上述した第１の実施形態の設置方法と同様である。
【００８６】
なお、上述した第１〜第１０の実施形態のＬＥＤ照明器具の設置構造１００〜１０９において、ＬＥＤ照明器具２０は、基板２２と、基板２２に実装された複数のＬＥＤ素子２３と、これら基板２２及びＬＥＤ素子２３を覆うカバー２４とを備える蛍光灯形のＬＥＤ照明としたが、本発明はこれに限定されるものではない。例えば、図１４に示すように、カバー２４を有さずに、基板２２と、基板２２に実装された複数のＬＥＤ素子２３とを備えるＬＥＤ照明器具２０Ａを用いてもよい。
【００８７】
図１４は本発明の第１１の実施形態におけるＬＥＤ照明器具の設置構造１１０の設置例を示している。図１４に示すように、基板２２には、取り付け具３０の第１の係合部３１に係合する複数の取り付け孔が設けられている。取り付け具３０の一端は基板２２に設けられた取り付け孔に係合し、他端は蛍光灯照明器具１０に設けられた取り付け孔に係合することで、簡単に設置することができる。また、この例において、既設の蛍光灯照明器具１０の開口を覆うように、透明又は半透明のアクリル板４０を取付枠４１及びビス４２を介して装着されている。なお、上記のＬＥＤ照明器具の設置構造１０２〜１０９において、ＬＥＤ照明器具２０の代わりにカバーなしのＬＥＤ照明器具２０Ａを用いてもよい。
【００８８】
また、図１５は本発明の他の実施形態におけるＬＥＤ照明器具の設置構造１１１の設置例を示している。図１５に示すように、複数のＬＥＤ照明器具２０を設置する場合、複数のＬＥＤ照明器具２０を取り付けるための取り付け板２０ｂを備えるようにしてもよい。この場合、例えば、ネジ等を用いて予め複数のＬＥＤ照明器具２０を取り付け板２０ｂに取り付ける。また、取り付け板２０ｂには、ＬＥＤ照明器具２０と同様な取り付け孔２０ａ（図１参照）が形成されている。これにより、蛍光灯照明器具１１への取付作業が容易になる。取り付け板２０ｂの大きさは、取り付けられるＬＥＤ照明器具２０と同じ、もしくはＬＥＤ照明器具２０より小さいことが好ましい。これに限定されるものではない。なお、取り付け板２０ｂの形状は限定されるものではない。また、取り付け板２０ｂには、ＬＥＤ照明器具２０の取り付け孔２０ａに対応する位置に取り付け孔２０ａより大きな孔を形成するようにしてもよい。
【００８９】
上述したＬＥＤ照明器具の設置構造１０１〜１１１において、第１の実施形態のＬＥＤ照明器具の設置構造１００と同様な効果を得られる。
【００９０】
また、上述した実施形態のＬＥＤ照明器具の設置構造１００〜１１１において、取り付け具３０は、円錐状の係合部を有するものについて説明したがが、本発明はこれに限定されるものではない。例えば、円錐以外の、取り付け孔に挿入、係合することができる形状にしてもよい。
【００９１】
また、上述した実施形態のＬＥＤ照明器具の設置構造１００〜１１１において、取り付け具３０は、合成樹脂から成型され、両端に軸線方向に沿って所定深さを有し互いに直交する２つの切り込み３３、３４が設けられているものであるが、本発明はこれに限定されるものではない。例えば、樹脂以外の材料を用いて形成するようにしてもよい。また、切り込み３３、３４は互いに直交しなくでもよい。
【００９２】
さらに、上述した実施形態のＬＥＤ照明器具の設置構造１００〜１１１において、ＬＥＤ照明器具２０又は２０Ａの両端側がそれぞれ１本または２本の取り付け具３０で取り付けられている例を説明したが、本発明はこれに限定されるものではない。例えば、ＬＥＤ照明器具２０又は２０Ａの両端側及び中央部に取り付け具３０で取り付けるようにしてもよい。
【産業上の利用可能性】
【００９３】
本発明は、蛍光ランプからＬＥＤランプに取り替える際に、既設の蛍光灯照明器具に蛍光灯形ＬＥＤ照明器具を取り付ける目的に利用できる。
【符号の説明】
【００９４】
１０，１０Ａ，１０Ｂ，１０Ｃ，１０Ｄ，１０Ｅ  蛍光灯照明器具
１１，１１Ａ，１１Ｂ，１１Ｃ，１１Ｄ，１１Ｅ  本体
１１ａ、２０ａ  取り付け孔
１２，１２Ａ，１２Ｂ，１２Ｃ，１２Ｄ，１２Ｅ  反射板
１３  安定器
１４  本体フレーム
２０，２０Ａ  ＬＥＤ照明器具
２０ｂ  取り付け板
２１  駆動電源部
２２  基板
２３  ＬＥＤ素子
２４  カバー
３０  取り付け具
３０ａ  中央部
３１  第１の係合部
３２  第２の係合部
３３，３４  切り込み部
３４，３５  溝
４０  アクリル板
４１  取り付け枠
４２  ビス
Ｔ  壁面
【図１】
2013016319.tif 000003
【図２】
2013016319.tif 000004
【図３】
2013016319.tif 000005
【図４】
2013016319.tif 000006
【図５】
2013016319.tif 000007
【図６】
2013016319.tif 000008
【図７】
2013016319.tif 000009
【図８】
2013016319.tif 000010
【図９】
2013016319.tif 000011
【図１０】
2013016319.tif 000012
【図１１】
2013016319.tif 000013
【図１２】
2013016319.tif 000014
【図１３】
2013016319.tif 000015
【図１４】
2013016319.tif 000016
【図１５】
2013016319.tif 000017
【図１６】
2013016319.tif 000018